(57)【特許請求の範囲】
【請求項１】
建物内外に設置される腰高の天板を有するカウンタ設備であって、前記天板には、その周縁に沿って框材が設けられるとともに、前記框材の設けられる部分に沿って隆起する隆起部が形成され、前記框材は、一部が前記天板の上面側に露出し、その前記框材の上部が、前記天板の水平面の内側に向かって突出して前記隆起部の上面と面一に納められており、前記框材は、軟質または半硬質の熱可塑性樹脂と、微粒子の木粉とを主材とする組成物から構成されていることを特徴とするカウンタ設備。
【請求項２】
請求項１に記載のカウンタ設備において、前記木粉は、少量の酸化チタンを含有していることを特徴とするカウンタ設備。
【請求項３】
請求項１または請求項２に記載のカウンタ設備において、
前記框材の裏面には、当該框材の延出方向に沿って延びる係合突起が形成され、前記天板には、その周縁に沿ってこの係合突起に嵌合可能なスリットが形成されていることを特徴とするカウンタ設備。
【請求項４】
請求項１〜３のいずれかに記載のカウンタ設備において、前記天板の略中央部にシンクが設けられたキッチンカウンタであり、前記框材の表面は木目調に仕上げられていることを特徴とするカウンタ設備。
【発明の詳細な説明】
【０００１】
【発明の属する技術分野】
本発明は、建物内外に設置される腰高の天板を有するカウンタ設備に関し、例えば、キッチンカウンタや洗面カウンタ等に利用することができる。
【０００２】
【背景技術】
従来より、建物のキッチン、洗面所、サニタリ、玄関、リビング等には、腰高の天板を有するカウンタ設備が用いられている。
このようなカウンタ設備の天板は、物が置かれることがあり、当該物が載置できるだけの強度が要求されるとともに、外観性も重視される。
特に、キッチン、洗面所、サニタリ等の水回り空間に設置されるカウンタ設備にあっては、これらの性能の他に、防水性能も要求される。
このため、従来より、カウンタ設備を構成する天板の材質としては、例えば、ステンレス板や人造大理石等が用いられることが多かった。
【０００３】
【発明が解決しようとする課題】
しかしながら、このような天板を人造大理石により一体で形成した場合、天板周縁部分に物が衝突して角部が損傷することがあり、この場合、一体形成されているので、交換が大変であるという問題があるうえ、元々高価な材料なので、交換に要する部材コストが著しく高騰してしまうという問題がある。
また、天板をステンレス板により形成した場合、手や身体が触れる天板周縁部分を折曲加工して仕上げるが、ステンレス板の感触が冷たく使い心地が良好ではないという問題がある。この場合、モール状に加工した木を天板周縁部に取り付けることが考えられるが、水がかかり易い場所なので、耐久性等に問題が残る。
【０００４】
本発明の目的は、天板の角部に損傷が生じても容易に交換することができ、かつ手や身体が触れても、暖かみのある感触を与える使い心地の良好なカウンタ設備を提供するものである。
【０００５】
【課題を解決するための手段】
本発明に係るカウンタ設備は、図面の符号を参照して説明すれば、建物内外に設置される腰高Ｈ１の天板を有するカウンタ設備であって、前記天板１１には、その周縁に沿って框材１４が設けられるとともに、前記框材の設けられる部分に沿って隆起する隆起部１１１が形成され、前記框材は、一部が前記天板の上面側に露出し、その前記框材の上部が、前記天板の水平面の内側に向かって突出して前記隆起部の上面と面一に納められており、前記框材は、軟質または半硬質の熱可塑性樹脂と、微粒子の木粉とを主材とする組成物から構成されていることを特徴とする。
ここで、「腰高」とは、立ち作業等に適当な高さ寸法をいい、例えば、キッチンカウンタであれば、立ちながら調理を行うのに適当な高さ寸法をいい、例えば、床面から８００〜９００mm程度の高さ寸法をいう。
また、「軟質または半硬質の熱可塑性樹脂」とは、塩化ビニル樹脂、ポリプロピレン、スチロール樹脂、ウレタン樹脂、アクリロニトリル−ブタジエン−スチレン共重合体樹脂（以下、ＡＢＳ樹脂）、またはこれらの発泡体材料等をいい、要するに、押し出し成形、射出成形等により成形性に優れた材料であればよい。
このような本発明によれば、天板の周縁に框材が設けられているので、天板の角部に損傷が生じても框材を交換するだけで補修することが可能となり、補修作業の簡単化と、交換部材のコスト低減が図られる。
さらに、框材の一部が天板上面側に露出しているので、天板の角部を框材によって覆うことが可能となり、天板の角部の損傷が防止されるうえ、天板の端部が框材に呑み込まれるので、天板と框材との納まり外観が一層向上する。
そして、上述した天板には、框材が設けられる部分に沿って隆起した部分１１１が形成されているので、カウンタ設備を水回り部分等で使用した場合、当該隆起部分が水のこぼれ止めとなり、カウンタ設備の使い心地が一層向上する。
【０００６】
また、框材が軟質または半硬質の熱可塑性樹脂と、微粒子の木粉とを主材とする組成物から構成されているので、手や身体が天板の角部に触れても木の風合いによる暖かな感触を得ることが可能となり、使い心地の良好なカウンタ設備とすることが可能となる。
また、天然木と異なり、水がかかることによって腐ってしまう心配もない。
さらに、框材が軟質または半硬質の熱可塑性樹脂と、微粒子の木粉とを主材とする組成物から構成され、防水性が良好なので、キッチンカウンタ、洗面カウンタ等の水回り部分に木の風合いを表現することが可能となり、カウンタ設備の外観意匠性を一層向上することが可能となる。
特に、建物内部の外観意匠としてキッチンカウンタの占めるウエイトは大きいので、キッチンカウンタに本発明を採用するのが好ましい。
【０００７】
以上において、上述した木粉としては、少量の酸化チタンを含有しているものを採用するのが好ましい。
すなわち、木粉が少量の酸化チタンを含有しているので、框材の仕上げ面に木粉による毛羽立ちを生じたりすることがなく、框材の仕上げ面を滑らかに仕上げることが可能となり、使い心地が一層向上する。
また、上述した天板および框材としては、裏面に当該框材の延出方向に沿って延びる係合突起１４２、２４２が形成された框材を採用し、周縁に沿ってこの係合突起に嵌合可能なスリット１１２、２１２が形成された天板を採用するのが好ましい。
すなわち、天板と框材とが係合突起およびスリットによって互いに係合可能となっているので、角部に損傷が生じた場合、容易に交換作業を行うことが可能となり、交換作業の大幅な軽減が図られる。
【０００９】
【発明の実施の形態】
以下に、本発明の第１実施形態を図面に基づいて説明する。
図１には、本発明の第１実施形態に係るカウンタ設備となるキッチンカウンタ１が示されている。
このキッチンカウンタ１は、高さ寸法Ｈ１の位置に水平方向に延びる天板１１を有し、この天板１１の略中央部には、シンク１２が設けられているとともに、天板１１の下部には、収納棚１３が設けられている。
天板１１およびシンク１２は、ステンレス板をプレス等によって加工した一体成型品であり、この天板１１の周縁に沿って框材１４が天板１１の周縁端部上面を覆うように設けられている。
尚、框材１４は、下部の収納棚１３の扉面よりも突出して設けられ、収納棚１３の把手１３１よりも外側に突出し、調理の際に把手１３１が邪魔にならないようになっている。
【００１０】
天板１１は、図２の垂直断面図に示すように、框材１４の設けられる周縁部分に沿って隆起部１１１が設けられ、ある程度の水位Ｈまで天板１１上の水を滞留させておくこができる。
尚、天板１１は、前記シンク１２に向かう下がり勾配の傾斜面を有し、天板１１上に滞留した水は、シンク１２に排出される。
また、天板１１には、周縁側面沿ってスリット１１２が形成され、このスリット１１２の内側上下面は、後述する框材１４の係合突起１４２が嵌合するので、凹凸面状となっている。
【００１１】
框材１４は、塩化ビニル等の熱可塑性樹脂と、微粒子の木粉とを取材とする組成物から構成され、その表面が木目模様調に仕上げられた一体成形品であり、内部にその延出方向に沿って空隙部１４１が設けられているとともに、裏面には、係合突起１４２が框材１４の延出方向に沿って設けられ、係合突起１４２の上下面は、前記スリットと嵌合するために凹凸面とされている。
尚、框材１４の上部は、天板１１の水平面の内側に向かって突出し、前述した天板１１の隆起部１１１の上面と面一に納められている。
また、框材１４の係合突起１４２と天板１１のスリット１１２とは、上述したように、凹凸面同士の機械的嵌合とされるが、必要に応じて、エポキシ系の接着剤等を用いて固定されている。
【００１２】
次に、框材１４の製造方法について説明する。
▲１▼  木質系住宅のパネル製造工場から生じる端材や鋸屑を集め、これらの端材等をボールミルによって細磨し、木粉微粒子（直径略６０μｍ）を形成する。
▲２▼  木粉微粒子に少量の酸化チタンを添加し、混練することによって、木粉微粒子の回りに酸化チタンの微粒子がついた木粉微粒子担持体を形成する。
▲３▼  木粉微粒子担持体と塩化ビニル等の熱可塑性樹脂の微粒粉とを混練し、混合ペレットを形成する。
▲４▼  最後に、この混合ペレットを１５０℃〜２１０℃で加熱溶解し、押し出し成形することにより、框材１４を一体で成形する。
【００１３】
前述のような本実施形態によれば、次のような効果がある。
すなわち、框材１４が塩化ビニル等の熱可塑性樹脂と、微粒子の木粉とを主材とする組成物から構成されているので、手や身体が天板１１の角部に触れても木の風合いによる暖かな感触を得ることができ、キッチンカウンタ１を使い心地の良好なものとすることができる。
また、框材１４が熱可塑性樹脂と、微粒子の木粉とを主材とする組成物から構成され防水性が良好なので、キッチンカウンタ１のような水回り部分に木の風合いの仕上げ面を表現することができ、カウンタ設備の外観意匠性を一層向上することができるうえ、天然木とは異なり水がかかることで腐ってしまう心配もない。
【００１４】
さらに、框材１４の組成物を構成する木粉が少量の酸化チタンを含有しているので、框材１４の仕上げ面に木粉による毛羽立ちが生じたりすることがなく、框材１４の仕上げ面を滑らかに仕上げることができ、使い心地、風合い等が一層向上する。
そして、酸化チタンが添加されることにより、木粉微粒子が酸化チタンに覆われた担持体が形成されるので、木粉微粒子を覆う酸化チタンの膜により木粉微粒子の色柄が不均一となり、より本物の木目に近い模様とすることができる。
また、酸化チタンが添加されることにより、木粉微粒子が酸化チタンに覆われた担持体が形成されるので、框材１４の製造工程において、熱可塑性樹脂と木粉微粒子との混練時に混練状態が不均一になることもなく、框材１４を均一な材料に成形することができ、経年等により框材１４に反り等が発生することもない。
【００１５】
さらに、天板１１と框材１４とが係合突起１４２およびスリット１１２によって互いに係合可能となっているので、キッチンカウンタ１の角部に損傷が生じた場合であっても、容易に框材１４の交換作業を行うことができ、交換作業の大幅な軽減を図ることができる。
そして、天板１１に隆起部１１１が設けられているので、当該隆起部１１１が水のこぼれ止めとなり、天板１１上の滞留水を床面に落とすことなくシンク１２に排出することができる。
【００１６】
次に、本発明の第２実施形態について説明する。尚、以下の説明では、既に説明した部分又は部材と同一又は類似の部分等についてはその説明を省略または簡略にする。
前述の第１実施形態では、キッチンカウンタ１を構成する天板１１は、ステンレス製であった。
これに対して、第２実施形態に係るキッチンカウンタ２の天板２１は、人造大理石製であり、この天板２１の周縁に沿って設けられる框材２４は、天板２１の側面角部を覆うように露出部２４３が形成されている点が相違する。
【００１７】
框材２４には、前述の第１実施形態の框材１４と同様に空隙部２４１と、係合突起２４２が形成されているとともに、上部に天板２１の上面側に露出する露出部２４３が形成され、これにより、人造大理石製の天板２１の上面角部が覆われている。
天板２１は、厚さ約１５〜２０mmの大理石からなり、仕上げ面２１１を鏡面状に仕上げたものであり、側面にはスリット２１２が形成されている。
尚、このスリット２１２は、人造大理石の成形時に同時に形成するこもあるが、ダイアモンドカッタにより切削形成されることもあり、嵌合構造は前述した第１実施形態の場合と同様である。
【００１８】
前述の第２実施形態によれば、前述の第１実施形態の効果に加えて次のような効果がある。
すなわち、天板２１の周縁に框材２４が設けられているので、天板１１に損傷が生じても、框材２４の着脱により、簡易に交換作業を行うことができ、交換部材のコスト低減を図ることができる。
また、天板２１の上面側端縁が框材２４の露出部２４３によって覆われているので、天板２１の端部が框材２４に呑み込まれるので、天板２１と框材２４との納まり外観が一層向上するうえ、人造大理石製の天板２１の角部の欠け等の発生を未然に防止することができる。
【００１９】
尚、本発明は、前述の実施形態に限定されるものではなく、次に示すような変形をも含むものである。
すなわち、前述の実施形態は、調理場等で使用するキッチンカウンタ１について説明していたが、これに限らず、本発明に係るカウンタ設備を洗面カウンタや化粧カウンタ等に利用してもよい。
また、前述の実施形態では、天板としてステンレス製、人造大理石製のものを採用していたが、これに限らず、例えば、自然石や陶磁器製の天板を用いたカウンタ設備であってもよく、このような高価な天板であれば、前述した実施形態の効果は一層顕著になる。
【００２０】
さらに、前述の実施形態では、建物内部のカウンタ設備として説明していたが、これに限らず、例えば、屋外に設けられるテーブル等のカウンタ設備に本発明を利用してもよい。
そして、前述の実施形態では、框材１４は押し出し成形によって形成されていたが、これに限らず、射出成形によって框材を形成してもよい。この場合、熱可塑性の樹脂としては上述した塩化ビニル樹脂の他、ポリプロピレン樹脂をも採用することができる。
その他、本発明の実施の際の具体的な構造及び形状等は、本発明の目的を達成できる範囲で他の構造等としてもよい。
【００２１】
【発明の効果】
前述のように本発明のカウンタ設備によれば、天板の周縁に框材が設けられているので、損傷が生じても容易に交換することができるうえ、框材が軟質または半硬質の熱可塑性樹脂と、微粒子の木粉とを主材とする組成物から構成されているので、手や身体が触れる部分の感触の良好なカウンタ設備とすることができる。
【図面の簡単な説明】
【図１】本発明の第１実施形態に係るカウンタ設備を表す概要斜視図である。
【図２】前述の実施形態における天板と框材との係合構造を表す垂直断面図である。
【図３】本発明の第２実施形態に係るカウンタ設備の天板と框材との係合構造を表す垂直断面図である。
【符号の説明】
１、２  キッチンカウンタ
１１、２１  天板
１２  シンク
１４、２４  框材
１１１  隆起部
１１２、２１２  スリット
１４２、２４２  係合突起
【図１】
0003784502.tif 000002
【図２】
0003784502.tif 000003
【図３】
0003784502.tif 000004